(57)【特許請求の範囲】
【請求項１】
情報機器が設置されるベース体と、前記ベース体の前側を覆うように組み付けられるカバー体とを有する情報分電盤用箱体であって、
前記ベース体の前面に、前記情報機器を設置するための設置板が取り付けられているとともに、前記情報機器を設置するための設置体が、前記設置板の一部の前側を覆う閉姿勢と、前記一部の前側を開放する開姿勢との間で、上下方向を軸として回動自在に取り付けられ、
前記設置体を軸支する軸支部が、前記ベース体における前記設置板よりも左右外側に設けられているとともに、左右方向で前記軸支部の間となる位置に、前記設置体を前記閉姿勢で保持する保持部が、前記設置板よりも前側へ突出して設けられており、
前記設置体が、左右の前記軸支部のうち少なくとも何れか一方に軸支されていることを特徴とする情報分電盤用箱体。
【請求項２】
左右の前記軸支部の両方に前記設置体が夫々軸支されているとともに、両前記設置体が、同一の前記保持部を利用して前記閉姿勢で保持されていることを特徴とする請求項１に記載の情報分電盤用箱体。
【発明の詳細な説明】
【技術分野】
【０００１】
本発明は、各種情報機器を収納した情報分電盤に使用される情報分電盤用箱体に関するものである。
【背景技術】
【０００２】
従来、情報分電盤に使用される情報分電盤用箱体としては、後側に配置されるベース体の前側をカバー体で覆ったものが知られている（たとえば特許文献１）。そして、そのような情報分電盤用箱体では、ベース板に木製の設置板を取り付け、その設置板の前面に情報機器を設置していた。
【先行技術文献】
【特許文献】
【０００３】
【特許文献１】特開２０１０−１０４０７３号公報
【発明の概要】
【発明が解決しようとする課題】
【０００４】
しかしながら、上記従来の情報分電盤用箱体によれば、情報機器の設置スペースが狭いため、収納可能な情報機器の種類に限りがある、情報分電盤用箱体内での情報機器の配置態様に係る自由度が乏しい等、使い勝手の点で問題を抱えていた。
【０００５】
そこで、本発明は、上記問題に鑑みなされたものであって、より多彩で多くの情報機器を収納可能で、使い勝手に優れた情報分電盤用箱体を提供しようとするものである。
【課題を解決するための手段】
【０００６】
上記目的を達成するために、本発明のうち請求項１に記載の発明は、情報機器が設置されるベース体と、前記ベース体の前側を覆うように組み付けられるカバー体とを有する情報分電盤用箱体であって、前記ベース体の前面に、前記情報機器を設置するための設置板が取り付けられているとともに、前記情報機器を設置するための設置体が、前記設置板の一部の前側を覆う閉姿勢と、前記一部の前側を開放する開姿勢との間で、上下方向を軸として回動自在に取り付けられ、前記設置体を軸支する軸支部が、前記ベース体における前記設置板よりも左右外側に設けられているとともに、左右方向で前記軸支部の間となる位置に、前記設置体を前記閉姿勢で保持する保持部が、前記設置板よりも前側へ突出して設けられており、記設置体が、左右の前記軸支部のうち少なくとも何れか一方に軸支されていることを特徴とする。
請求項２に記載の発明は、請求項１に記載の発明において、左右の前記軸支部の両方に前記設置体が夫々軸支されているとともに、両前記設置体が、同一の前記保持部を利用して前記閉姿勢で保持されていることを特徴とする。
【発明の効果】
【０００７】
本発明によれば、ベース体の前面に、情報機器を設置するための設置板を取り付けるとともに、情報機器を設置するための設置体を、設置板の一部の前側を覆う閉姿勢と、一部の前側を開放する開姿勢との間で、上下方向を軸として回動自在に取り付け、さらに設置体を軸支する軸支部を、ベース体における設置板よりも左右外側に設けるとともに、左右方向で軸支部の間となる位置に、設置体を閉姿勢で保持する保持部を、設置板よりも前側へ突出して設けており、設置体を、左右の軸支部のうち少なくとも何れか一方に軸支しているため、設置板の表面のみならず、設置板の前側にも設置体を介して情報機器を取り付けることができる。したがって、情報分電盤用箱体内に従来よりも広い設置スペースを確保することができ、より多彩で多くの情報機器を収納可能で、使い勝手の優れた情報分電盤用箱体とすることができる。さらに、設置体を回動させて開姿勢とすれば、設置体を閉姿勢とした際に覆われる設置板の一部の前側を開放させることができるため、情報機器の設置作業が困難となることもない。
また、請求項２に記載の発明によれば、設置体を２つ設置しているとともに、同じ保持部を利用して両設置体を閉姿勢で保持可能としている。したがって、さらに広い設置スペースを確保することができ、使い勝手の更なる向上を図ることができるし、設置体の設置構造を、部品点数の増加や構造の複雑化を抑えた合理的な構造とすることができる。
【図面の簡単な説明】
【０００８】
【図１】情報分電盤の外観を示した斜視説明図である。
【図２】ベース体からカバー体を取り外した状態を示した斜視説明図である。
【図３】設置フレーム体を閉姿勢から回動させた様子を示した斜視説明図である。
【図４】ベース体から設置フレーム体を取り外した状態を示した斜視説明図である。
【図５】ベース体から設置板を取り外した状態を示した斜視説明図である。
【図６】保持部材と保持部材が取り外されたベース体とを示した斜視説明図である。
【図７】設置フレーム体の外観を示した斜視説明図である。
【図８】設置フレーム体の説明図であり、（ａ）は上側から、（ｂ）は前側から、（ｃ）は右側から夫々示している。
【図９】２つの設置フレーム体が取り付けられたベース体を示した斜視説明図であり、（ａ）は設置フレーム体が閉姿勢にある状態を、（ｂ）は設置フレーム体が開姿勢にある状態を夫々示している。
【図１０】設置フレーム体を使用しない場合のベース体を示した斜視説明図である。
【図１１】機器載置板が取り付けられたベース体を示した斜視説明図である。
【発明を実施するための形態】
【０００９】
以下、本発明の一実施形態となる情報分電盤用箱体（以下、箱体と称す）について、図面にもとづき詳細に説明する。
【００１０】
図１は、情報分電盤１の外観を示した斜視説明図である。図２は、ベース体４からカバー体５を取り外した状態を示した斜視説明図である。図３は、設置フレーム体２１を閉姿勢から回動させた様子を示した斜視説明図である。図４は、ベース体４から設置フレーム体２１を取り外した状態を示した斜視説明図である。図５は、ベース体４から設置板１１Ａを取り外した状態を示した斜視説明図である。図６は、保持部材１３と保持部材１３が取り外されたベース体４とを示した斜視説明図である。図７は、設置フレーム体２１の外観を示した斜視説明図である。図８は、設置フレーム体２１の説明図であり、（ａ）は上側から、（ｂ）は前側から、（ｃ）は右側から夫々示している。図９は、２つの設置フレーム体２１、２１が取り付けられたベース体４を示した斜視説明図であり、（ａ）は設置フレーム体２１、２１が閉姿勢にある状態を、（ｂ）は設置フレーム体２１、２１が開姿勢にある状態を夫々示している。図１０は、設置フレーム体２１を使用しない場合のベース体４を示した斜視説明図である。図１１は、機器載置板３２が取り付けられたベース体４を示した斜視説明図である。
【００１１】
情報分電盤１は、箱体２内に情報機器３、３・・等を収納してなるものであって、箱体２は、情報機器３等が搭載される板状のベース体４と、ベース体４の前側を覆うカバー体５とを備えている。カバー体５は、前面、左右両側面、及び上下両面を有して、後側に開口する箱状に形成されている。また、カバー体５の前面の左右両側には、前面から夫々隣り合う側面へ跨がるように把持部６、６が設けられている。さらに、カバー体５の上下両面には、箱体２内部を通気するための多数の通気孔７、７・・が穿設されている。一方、ベース体４は、前後方向が厚み方向となる板体に、ケーブルを引き込むための引き込み口８、８・・や排熱用の開口９、９・・等といった複数の開口を開設してなるフレーム状に形成されている。また、ベース体４には、木製の設置板１１Ａ、１１Ｂや合成樹脂製の設置フレーム体２１等が取り付けられ、該設置板１１Ａや設置フレーム体２１の前面に、種々の情報機器３、３・・を設置可能としている。そして、以上のような箱体２を有する情報分電盤１は、ベース体４を壁面等に固定した上で、設置板１１Ａ、１１Ｂにネジ止めしたり、設置フレーム体２１にバンド部材（図示せず）で締め付け固定したりして、必要な情報機器３、３・・をベース体４に設置し、最後にベース体４の前側にカバー体５を組み付けることで組み立て可能となっている。尚、３１は、情報機器３の電源プラグを差し込み接続可能な電源コンセントである。
【００１２】
ここで、本発明の要部となる設置板１１Ａ、１１Ｂや設置フレーム体２１等といった箱体２における情報機器３の設置構造について説明する。
ベース体４における左右両側縁部には、設置フレーム体２１を上下方向を軸として回動自在に支持するための軸支部１２、１２が夫々設けられている。また、ベース体４の左右方向での略中央部には、設置フレーム体２１を閉姿勢で保持するための保持部材１３が取り付けられている。保持部材１３は、上下方向に長い板状の基部１４と、基部１４の上部から前側へ突設された角筒状の被係止部１５と、基部１４の下部から前側へ突設された角柱状の被挟持部１６とを備えてなる。そして、この保持部材１３は、ベース体４に設けられた取付凹部１０内に嵌め込まれ、基部１４の外周縁に設けられた掛止部１７、１７・・を取付凹部１０内の被掛止部１８、１８・・に掛止させることにより、ベース体４に対して着脱自在に取り付けられる。
【００１３】
設置フレーム体２１は、左右方向の長さがベース体４の略半分程度となるような正面視矩形に成形されたフレーム体であって、その略全面にわたって上下左右に複数列並設された格子孔は、バンド部材を用いて情報機器３を締め付け固定するための設置孔２２として機能する。また、設置フレーム体２１の左右方向での一端側には、軸支部１２に軸支される軸部２３、２３が設けられている。一方、設置フレーム体２１の左右方向で他端側の上部には、弾性を有する係止爪２４が後方へ突設されている。また、係止爪２４の下部（設置フレーム体２１の左右方向で他端側の下部）には、弾性を有する一対の挟持片２５、２５が後方へ突設されている。加えて、設置フレーム体２１の下縁には、設置フレーム体２１に設置される情報機器の底面を支持するための支持段部２６が、前方へせり出すように設けられている。
【００１４】
設置板１１Ａは、左右方向の長さがベース体４の長さよりも少し短い正面視長方形に成形された板体であって、左右方向での中央部には、ベース体４へ取り付けた際、被係止部１５や被挟持部１６が貫通する貫通孔１９、１９が設けられている。また、そのような貫通孔１９、１９を有さない設置板１１Ｂもある。
【００１５】
そして、まず設置フレーム体２１を１つ用いて箱体２を組み立てる場合について説明すると、ベース体４の取付凹部１０内へ保持部材１３の基部１４を嵌め込んで取り付けた後、被係止部１５及び被挟持部１６を貫通孔１９、１９に貫通させるようにしてベース板４へ設置板１１Ａをネジ止めする。また、左側の軸支部１２、１２に設置フレーム体２１の軸部２３、２３を軸支させる。さらに、軸支させた設置フレーム体２１を設置板１１の前側へ傾倒させ、設置フレーム体２１の係止爪２４を保持部材１３の被係止部１５に係止させるとともに挟持片２５、２５により被挟持部１６を挟持させ、設置フレーム体２１を閉姿勢で保持させればよい。すると、設置板１１Ａの前面右部に、前側へ開放された大きな第１の設置空間が設けられ、設置板１１Ａの前面左部と設置フレーム体２１との間に第２の設置空間が、更に設置フレーム体２１の前面に第３の設置空間が設けられる。そこで、種々の情報機器３、３・・を適切な設置空間へ設置すれば、図２に示す如き情報分電盤１を構成することができる。なお、設置板１１Ａの前面左部へ情報機器３を設置するにあたっては、図３に示すように係止爪２４と被係止部１５との係止及び挟持片２５、２５による被挟持部１６の挟持を解除とし、軸部２３、２３を中心として設置フレーム体２１を左側（開姿勢側）へ回動させればよい。すると、設置板１１Ａの前面左部の前側が大きく開放され、設置板１１Ａへの情報機器３の設置が容易となる。
【００１６】
また、収納する情報機器３の種類や数に応じては、設置フレーム体２１をもう１つ用いることも可能である。すなわち、ベース体４への設置板１１Ａ及び左側の設置フレーム体２１の取り付けと共に、ベース体４の右側の軸支部１２、１２に、もう１つの設置フレーム体２１の軸部２３、２３を軸支させる。そして、右側の設置フレーム体２１についても設置板１１の前側へ傾倒させ、係止爪２４を被係止部１５に係止させるとともに挟持片２５、２５により被挟持部１６を挟持させて、閉姿勢で保持させればよい。すると、図９（ａ）に示す如く、設置板１１Ａの前面左右両部と設置フレーム体２１、２１との間に第１の設置空間が設けられ、左右の設置フレーム体２１、２１の前面に第２の設置空間が設けられる。なお、当該状態にある設置板１１Ａへ情報機器を設置するにあたっては、図９（ｂ）に示す如く左右の設置フレーム体２１を夫々開姿勢側へ回動させればよい。すると、設置板１１Ａの前面が大きく開放され、設置板１１Ａへの情報機器３の設置が容易となる。
【００１７】
さらに、設置フレーム体２１が必要でない状況も考えられる。そのような場合には、ベース体４から保持部材１３を取り外した上で、設置板１１Ａに代えて、設置板１１Ｂをベース板４にネジ止めすればよい。すると、被係止部１５や被挟持部１６が邪魔になることなく、図１０に示すように設置板１１Ｂの前面全てが情報機器の設置スペースとして機能することになる。
なお、図１１に示すように、ベース体４へは、上面に情報機器３を載置可能な機器載置板３２も必要に応じて組み付け可能となっている。
【００１８】
以上のような構成を有する箱体２によれば、フレーム状に形成された設置フレーム体２１を、設置板１１Ａの一部の前側を覆う閉姿勢と、その一部の前側を開放する開姿勢との間で、上下方向を軸として回動自在に取り付けており、設置板１１Ａの前面のみならず、設置フレーム体２１の前面にも情報機器３を設置可能としている。したがって、箱体２内に従来よりも広い設置スペースを確保することができ、より多彩で多くの情報機器３、３・・を収納可能で、使い勝手の優れた箱体２とすることができる。また、設置フレーム体２１を回動させて開姿勢とすれば、設置フレーム体２１を閉姿勢とした際に覆われる設置板１１Ａの前側を開放させることができるため、情報機器３、３・・の設置作業が困難となることもない。
【００１９】
また、設置フレーム体２１を軸支する軸支部１２、１２を、ベース体４における設置板１１Ａよりも左右外側に設けるとともに、設置フレーム体２１を閉姿勢で保持する被係止部１５及び被挟持部１６を、設置板１１Ａを貫通して前側へ突設しており、設置フレーム体２１を、左右の軸支部のうち何れか一方に軸支させることで、設置板１１Ａの前面右部に、前側へ開放された大きな第１の設置空間が設けられ、設置板１１Ａの前面左部と設置フレーム体２１との間に第２の設置空間が、更に設置フレーム体２１の前面に第３の設置空間が設けられることになる。したがって、より多彩な配置態様で情報機器３、３・・を設置することができ、使い勝手の一層の向上を図ることができる。
【００２０】
さらに、左右両側の軸支部１２、１２を利用して２つの設置フレーム体２１、２１を回動自在に取り付けることで、設置板１１Ａの前面左右両部と設置フレーム体２１、２１との間に第１の設置空間が設けられ、左右の設置フレーム体２１、２１の前面に第２の設置空間が設けられるため、箱体２内に一層広い設置スペースを確保することができ、使い勝手が極めて優れた箱体２とすることができる。
さらにまた、同じ被係止部１５及び被挟持部１６を利用して２つの設置フレーム体２１、２１を閉姿勢で保持可能としている。したがって、箱体２内に一層広い設置スペースを確保することができ、使い勝手の更なる向上を図ることができるし、設置フレーム体２１、２１の設置構造を、部品点数の増加や構造の複雑化を抑えた合理的な構造とすることができる。
【００２１】
加えて、保持部材１３をベース体４に対して着脱自在としており、設置フレーム体２１が取り付けられる場合には、保持部材１３をベース体４に取り付けるとともに、被係止部１５及び被挟持部１６が貫通する貫通孔１９、１９を有する設置板１１Ａをベース板４に取り付ける一方、設置フレーム体２１が取り付けられない場合には、保持部材１３をベース体４から取り外すとともに、貫通孔１９、１９を有さない設置板１１Ｂをベース板４に取り付けて、それぞれ箱体２を構成可能としている。したがって、収納する情報機器３、３・・の数や種類に応じて使い分けすることができ、使い勝手が良い。また、設置フレーム体２１が必要でない状況では、設置板１１Ｂの前面全てを情報機器３、３・・の設置スペースとすることができ、被係止部１５や被挟持部１６が邪魔になるといった事態が起こらない。
【００２２】
なお、本発明に係る箱体の構造は、上記実施形態の態様に何ら限定されるものではなく、ベース体や設置板、設置体そのものの構造や、設置体の取付構造等について、本発明の趣旨を逸脱しない範囲で、必要に応じて適宜変更することができる。
【００２３】
たとえば、上記実施形態では、設置体としてフレーム状の設置フレーム体を採用しているが、板状の設置体を採用することも可能である。
また、上記実施形態ではバンド部材を用いて情報機器を設置体に設置するとしているが、設置体の後面側に磁石板を配置させ、該磁石板により情報機器を設置体の前面側に吸着させて設置するように構成することも可能である。
【００２４】
さらに、保持部材の取付位置がベース板の中央から左右何れかへずれているとともに、左右の設置体の大きさが異なっているような箱体としてもよい。
さらにまた、上記実施形態では、設置体を閉姿勢で保持する保持部に関し、左右方向で軸支部の間となる位置において設置板を貫通するように設けているが、設置板よりも上側や下側等、設置板を貫通させる必要のない位置に、設置板よりも前側へ突出する保持部を設けることも可能である。そして、そのように設置板を貫通させる必要のない位置に保持部を設けた場合には、設置板１１Ｂの如く、貫通孔を有さない設置板を採用すればよい。
加えて、上記実施形態では、係止爪の被係止部への係止及び挟持部による被挟持部の挟持によって設置体を閉姿勢で保持するとしているが、たとえば係止構造と挟持構造との何れか一方しか設けない等、設置体の閉姿勢での保持構造についても適宜設計変更可能である。
【符号の説明】
【００２５】
１・・情報分電盤、２・・箱体（情報分電盤用箱体）、４・・ベース体、５・・カバー体、１１Ａ、１１Ｂ・・設置板、１２・・軸支部、１３・・保持部材、１４・・基部、１５・・被係止部（保持部）、１６・・被挟持部（保持部）、１９・・貫通孔、２１・・設置フレーム体（設置体）、２３・・軸部、２４・・係止爪、２５・・挟持片、２６・・支持段部、３１・・電源コンセント。
【図１】
0006534949.tif 000002
【図２】
0006534949.tif 000003
【図３】
0006534949.tif 000004
【図４】
0006534949.tif 000005
【図５】
0006534949.tif 000006
【図６】
0006534949.tif 000007
【図７】
0006534949.tif 000008
【図８】
0006534949.tif 000009
【図９】
0006534949.tif 000010
【図１０】
0006534949.tif 000011
【図１１】
0006534949.tif 000012